(57)【特許請求の範囲】
【請求項１】
複数階からなる建物の床コンクリート型枠の上方に測量器械を据え付けるための据付架台であって、
階高以上の長さをもつポールと、
このポールの下端を上記床コンクリート型枠が設けられた階よりも下の階の床面に固定するポール固定手段と、
上記ポールの上端部に上記測量器械を取り付ける取付手段とを備えるとともに、
上記ポールは、夫々の長さが上記階高よりも短い上パイプと中パイプと下パイプからなるテレスコピックパイプで構成され、
上記下パイプは、下端が上記ポール固定手段により下階の床面に固定され、
上記中パイプは、上記床コンクリート型枠を貫通して突出可能に上記下パイプに支持され、
上記上パイプは、上記中パイプに突出可能に支持され、上端部に上記取付手段が取り付けられることを特徴とする測量器械の据付架台。
【請求項２】
請求項１に記載の測量器械の据付架台を用いて、複数階からなる建物の床コンクリート型枠上の測点を測量する測量方法であって、
上記ポールの下パイプを、上記ポール固定手段により、上記床コンクリート型枠が設けられた階よりも下階の床面に立設、固定するするとともに、下パイプより中パイプを伸ばして上記床コンクリート型枠を貫通させた状態で上方へ突出させる工程と、
上記中パイプより上パイプを伸ばして測量器械の取り付け高さを調整する工程と、
上記ポールの上パイプの上端に測量器械を取り付ける工程と、
上記取り付けられた測量器械によって上記床コンクリート型枠上の測点を視準する工程とを備えたことを特徴とする測量方法。
【発明の詳細な説明】
【０００１】
【発明の属する技術分野】
本発明は、複数階からなる集合住宅などの建物の床コンクリート型枠上の測点を測量する測量器械を据え付けるための据付架台および測量方法に関する。
【０００２】
【従来の技術】
従来、集合住宅の建築において床コンクリートを打設する際、打設コンクリートの天端の高さは、例えば図６に示すように測量されている。即ち、コンクリート３１を打設すべき床型枠３２に三脚３３を設置し、三脚３３の頂部の取付台にレベル３４を水平にセットする。そして、このレベル３４によって、コンクリート３１の天端３１aに立てた標尺(スタッフ)３５を視準して(破線矢印参照)、その目盛を読取る一方、地表の高さ基準点に鉛直に通して立てた図示しない基準標尺を視準してその目盛を読取り、両読取値の差から打設中のコンクリート天端３１aの高さを求め、この高さがその階の設計スラブ高さになるようコンクリートの打設を管理している。
【０００３】
【発明が解決しようとする課題】
ところが、上記従来の測量方法は、床型枠３２に設置した三脚３３に取り付けたレベル３４によって、同じ床型枠３２上にその後打設されるコンクリートの天端３１aの高さを測定するものであるため、逐次打設されるコンクリート３１の重みにより、最初一点鎖線の位置にあった床型枠３２が実線の位置まで沈み込み(矢印Ａ参照)、レベル３４による標尺３５の視準位置がずれる結果となる。レベル３４の水平が維持されつつ床型枠が沈み込む場合は、頻繁に基準標尺を視準して読取値の差を求めれば問題はないが、沈み込みによりレベル３４が傾く場合は、さらに視準の都度,レベル３４の水平を気泡管で見ながら調整しない限り水準測量ができず、天端高さの測量が事実上できないという問題がある。
また、三脚３３の傍の床型枠３２上を作業者が歩いたり、コンクリート打設中に充填を密にするため床型枠３２にバイブレータで振動が与えられると、三脚３３が移動してレベル３４の測量結果に誤差が生じて、高精度の打設スラブ高さが得られないという問題がある。
さらに、打設コンクリート３１が三脚３３の傍まで近づくと、レベル３４を据え替えざるを得ず、作業が煩雑になる。
【０００４】
そこで、本発明の目的は、設置後の床型枠にコンクリート打設や他の作業で加わる振動や変位に拘わらず、床型枠上のコンクリート天端などの測点を正確に測量することができる測量器械の据付架台および測量方法を提供することにある。
【０００５】
【課題を解決するための手段】
上記目的を達成するため、請求項１の発明は、複数階からなる建物の床コンクリート型枠の上方に測量器械を据え付けるための据付架台であって、階高以上の長さをもつポールと、このポールの下端を上記床コンクリート型枠が設けられた階よりも下の階の床面に固定するポール固定手段と、上記ポールの上端部に上記測量器械を取り付ける取付手段とを備えるとともに、上記ポールは、夫々の長さが上記階高よりも短い上パイプと中パイプと下パイプからなるテレスコピックパイプで構成され、上記下パイプは、下端が上記ポール固定手段により下階の床面に固定され、上記中パイプは、上記床コンクリート型枠を貫通して突出可能に上記下パイプに支持され、上記上パイプは、上記中パイプに突出可能に支持され、上端部に上記取付手段が取り付けられることを特徴とする。
【０００６】
請求項１の据付架台は、いずれも階高よりも短い上パイプ,中パイプ,下パイプからなるテレスコピックパイプでポールが構成され、下パイプがポール固定手段で下階の完成した不動な床面に固定され、中パイプが床コンクリート型枠を貫通し、中パイプから出没する上パイプの上端部に取付手段を介して測量器械が取り付けられている。従って、床コンクリート型枠に、作業者の歩行やコンクリート打設に伴うバイブレータによって振動が加わっても、下階の不動な床面に支持される測量器械は、位置がずれたり移動したりすることがない。それ故、この据付架台を用いた測量器械は、打設前の配筋,埋設配管の位置や打設中のコンクリートの天端を正確に測量することができる。また、下階で下パイプを不動に固定し、中パイプを伸ばして床コンクリート型枠の上方へ突出させた後、上階の床コンクリート型枠上で、測量器機の視準に適するように上パイプの突出長さを調整できるので、作業者が１人でも能率良く測量を行うことができる。
【０００７】
【０００８】
【０００９】
上記目的を達成するため、請求項２の発明は、請求項１に記載の測量器械の据付架台を用いて、複数階からなる建物の床コンクリート型枠上の測点を測量する測量方法であって、上記ポールの下パイプを、上記ポール固定手段により、上記床コンクリート型枠が設けられた階よりも下階の床面に立設、固定するするとともに、下パイプより中パイプを伸ばして上記床コンクリート型枠を貫通させた状態で上方へ突出させる工程と、上記中パイプより上パイプを伸ばして測量器械の取り付け高さを調整する工程と、上記ポールの上パイプの上端に測量器械を取り付ける工程と、上記取り付けられた測量器械によって上記床コンクリート型枠上の測点を視準する工程とを備えたことを特徴とする。
【００１０】
請求項２の測量方法は、ポールの下パイプをポール固定手段で下階の不動な床面に固定し、下パイプから中パイプを伸ばして床コンクリート型枠の上方へ突出させた後、上階の床コンクリート型枠上で、測量器機の視準に適するように上パイプの突出長さを調整できるので、床コンクリート型枠に、作業者の歩行やコンクリート打設に伴うバイブレータによって振動が加わっても、下階の不動な床面に支持される測量器械は、位置がずれたり移動したりすることがない。それ故、この測量方法は、打設前の配筋,埋設配管の位置や打設中のコンクリートの天端を、作業者が１人でも能率良くかつ正確に測量することができる。
【００１１】
【発明の実施の形態】
以下、本発明を図示の実施の形態により詳細に説明する。
図１は、本発明の実施の形態である測量器械の据付架台を示す立面図である。この据付架台は、階高Ｈ以上の長さをもつポール１と、このポール１の下端を床コンクリート型枠３２が設けられた階より１階下の階の床面Ｆに固定するポール固定手段の一例としての三脚装置２と、ポール１の上端に測量器械としてのレベル３４を取り付けるために設けられた取付手段の一例としての取付装置３とを備えている。
上記ポール１は、管軸方向に矢印の如く抜き差しでき、かつ、夫々の長さが階高よりも短い上,中,下の３本のパイプ１a,１b,１cからなるテレスコピックパイプで構成され、下パイプ１aの上端に設けたクランプ４を締め付けて中パイプ１bを任意の突出長さで固定し、下方に螺着したねじ５で中パイプ１bの振れを防止する一方、中パイプ１bの上端のクランプを締めて上パイプ１cを任意の突出長さで固定するようになっている。中パイプ１bの突出は、主に床コンクリート型枠３２の貫通のために、上パイプ１aの突出は、主として貫通後に測量器械の据付位置を調整するために行なわれる。
【００１２】
上記ポール固定装置２は、下パイプ１aの下端に嵌め込まれたフランジ付き短管６と、下パイプ１aの上端付近に外嵌してねじ止めされたリングに上端が枢着され,下端にフランジ８をもつ３本の棒からなる三脚７とからなり、これらのフランジ８を打設後に硬化した下階のコンクリート床面Ｆに釘９で固定している。
上記取付手段３は、図２の詳細図にも示すように、上パイプ１cの上端にねじ部を突出させて固定された第１ボルト１０と、この第１ボルト１０とナット１３の間に固定される取付台１１と、この取付台１１にレベル３４の底板３４bを螺着する第２ボルト１２からなり、取り付けられたレベル３４の望遠鏡３４aは、調整ねじ３４cによって視準線が水平になるように調整される。
図３は、上記取付台１１を省略して、第１ボルト１０にレベル３４の底板３４bを直接螺着した取付装置の変形例を示している。
【００１３】
図４は、図１のように立設された据付架台上端の取付手段３に取り付けられたレベル３４によって、打設中の床コンクリート３１の天端３１a(図１参照)の高さを測量する様子を示す平面図である。作業者は、４隅の柱Ｃとこれらの柱を底面で繋ぐ梁Ｂで囲まれた床型枠３２(図１参照)上に打設されつつあるコンクリート３１の天端３１aの要所に標尺３５を立て、これらの標尺３５を矢印の如く視準して高さ目盛を読取る一方、地表の高さ基準点に鉛直に立てた図示しない基準標尺の高さ目盛を読取り、両読取値の差から上記天端３１aの高さを求め、この高さがその階の設計スラブ高さになるようにコンクリート３１の打設を管理するのである。
【００１４】
上記構成の据付架台を用いた測量方法の一例について、図５により次に説明する。
この測量方法は、主として、上記据付架台のポール１を床コンクリート型枠３２に挿通した状態で下階の床面Ｆに立設,固定する工程(Ｓ４)と、ポール１の上端に取付手段３を介して測量器械としてのレベル３４を取り付ける工程(Ｓ５)と、このレベル３４によって床型枠３２上の測点としての打設中のコンクリート３１の天端３１aを視準する工程(Ｓ７)とからなる。
【００１５】
詳しくは、図５のステップＳ１で,下階の床コンクリートを打設し、ステップＳ２で,打設コンクリートが硬化すると、ステップＳ３で,上階の床コンクリート型枠３２を設置する。なお、ステップＳ３の床型枠の設置は、ステップＳ２の打設コンクリートの硬化を待つことなく、ステップＳ１のコンクリートの打設と並行して行なうこともできる。
次いで、ステップＳ４で,ポール１を適切な長さまで伸ばしながら床型枠３２の上方から貫通孔３２aに挿通し、下パイプ１aの下端にフランジ付き短管６を嵌め込み、下パイプ１aの上端付近に三脚７の上端のリングを嵌合し、三脚７の下端のフランジ８等を階下の硬化したコンクリート床面に釘９で固定する。なお、これとは逆に、下パイプ１aの長さまで縮めたポール１を三脚７で下階の床面Ｆに固定した後、中,上パイプ１b,１cを貫通孔３２aに下方から挿通させつつ適切な長さまで伸ばしてクランプで固定してもよい。
【００１６】
続いて、ステップＳ５で,測量器械が測点を視準しやすいように、床コンクリート型枠３２上にて上パイプ１cの突出量を調整するとともに、上パイプ１cの上端にナット１３,取付台１１,第２ボルト１２を介してレベル３４を取り付け、望遠鏡３４aの視準線が水平になるように調整ねじ３４cで調整し、ステップＳ６で,床型枠３２上にコンクリート３１が打設されると、ステップＳ７で, その天端３１aの高さをレベル３４により標尺３５および基準標尺を視準することによって測量する。
ステップＳ８で打設が完了すると、ステップＳ９で,ステップＳ４と逆の手順でレベル３４および据付架台を取り外して撤去し、最後にステップＳ１０で、貫通孔３２aをモルタルで埋め戻す。
【００１７】
上記据付架台を用いて据え付けられたレベル３４は、据付架台のポール１の下端が下階の既に硬化して不動のコンクリート床面Ｆに三脚７等により固定されているので、床型枠３２にコンクリート３１が打設され,バイブレータで振動が加えられたり、床型枠３２上を作業者が歩いたりしても、従来のように位置がずれたり移動することがない。それ故、上記レベル３４によれば、従来のような据え替えもいらず,基準標尺を一度バックサイトするだけで、打設中のコンクリート３１の天端３１aを、床型枠３２の変形や振動に拘わらず常に正確に測量することができ、打設高さの正確な管理により床スラブ高さを確実に設計値にすることができる。
また、上記実施の形態では、据付架台のポール１を伸縮により長さが自在に調整できるテレスコピックパイプで構成しているので、レベル３４の据付位置を階高や測点の周囲条件に合わせて最適に調整できるうえ、床型枠の貫通孔３２aにポール１を挿通する作業が容易になるという利点がある。
【００１８】
上記実施の形態では、地表の高さ基準点に垂設した基準標尺を用いたが、これに代えてポール１にその全長を測定する測距手段を備えることもできる。この測距手段は、テレスコピックパイプの外周に軸方向に刻まれた長さ目盛や、ポール内に上端から床面Ｆに向けてレーザ光を照射する測距装置で構成できる。
このような測距装置は、ポールの下端から上端までの長さ,つまりレベルなどの測量装置の視準線の下階床面Ｆからの高さを測定できるので、下階床面Ｆの高ささえ求まっていれば、地表に基準標尺を立設せずとも測点に立てた標尺を視準するだけで測量が行なえ、測量の能率を向上させることができる。
【００１９】
また、上記実施の形態では、打設コンクリートの天端を測点の例として挙げたが、床型枠３２上の測点は、これに限らず、コンクリート打設前の鉄筋の配置位置や配管の埋設位置などや、打設したコンクリートが硬化し、次の上階への施工へ移るまでの間の測量すべき種々のものが含まれる。
さらに、本発明の据付装置に取り付ける測量器械としては、上記実施の形態のレベルに限らず、トランシットなどの測角儀やトータルステーションなどの測距測角儀など種々のものが使用可能である。
【００２０】
【発明の効果】
以上の説明で明らかなように、請求項１に係る測量器機の据付架台は、いずれも階高よりも短い上パイプ,中パイプ,下パイプからなるテレスコピックパイプでポールが構成され、下パイプがポール固定手段で下階の完成した不動な床面に固定され、中パイプが床コンクリート型枠を貫通し、中パイプから出没する上パイプの上端に取付手段を介して測量器械が取り付けられているので、床コンクリート型枠に、作業者の歩行やコンクリート打設に伴うバイブレータによって振動が加わり、あるいは床コンクリート型枠が撓んだり,変形したりしても、下階の不動な床面に支持される測量器械は、位置がずれたり移動したりすることがなく、打設前の配筋,埋設配管の位置や打設中のコンクリートの天端を、作業者が１人でも能率良くかつ正確に測量することができる。
【００２１】
【００２２】
【００２３】
請求項２に係る測量方法は、ポールの下パイプをポール固定手段で下階の不動な床面に固定し、下パイプから中パイプを伸ばして床コンクリート型枠の上方へ突出させた後、上階の床コンクリート型枠上で、測量器機の視準に適するように上パイプの突出長さを調整できるので、床コンクリート型枠に、作業者の歩行やコンクリート打設に伴うバイブレータによって振動が加わっても、下階の不動な床面に支持される測量器械は、位置がずれたり移動したりすることがなく、打設前の配筋,埋設配管の位置や打設中のコンクリートの天端を、作業者が１人でも能率良くかつ正確に測量することができる。
【図面の簡単な説明】
【図１】  本発明の請求項２に記載の据付架台の一例を示す立面図である。
【図２】  上記据付架台の頂部に取り付けられた測量器械としてのレベルを示す一部破断立面図である。
【図３】  図２の変形例を示す一部破断立面図である。
【図４】  上記レベルにより打設中のコンクリートの天端の測量態様を示す平面図である。
【図５】  上記据付架台を用いた請求項４に記載の測量方法の一例を示すフローチャートである。
【図６】  従来の打設床コンクリートの天端測量の様子を示す縦断面図である。
【符号の説明】
１…ポール、１a…下パイプ、１b…中パイプ、１c…上パイプ、２…固定手段、
３…取付手段、４…クランプ、５…ねじ、６…フランジ付き短管、７…三脚、
８…フランジ、９…釘、１０…第１ボルト、１１…取付台、１２…第２ボルト、
１３…ナット、３１…コンクリート、３１a…天端、３２…床コンクリート型枠、
３２a…貫通孔、３４…レベル、３４a…望遠鏡、３４b…底板、３４c…調整ねじ、３５…標尺、Ｂ…梁、Ｃ…柱、Ｆ…下階の床面、Ｈ…階高。
【図１】
0003983415.tif 000002
【図２】
0003983415.tif 000003
【図３】
0003983415.tif 000004
【図４】
0003983415.tif 000005
【図５】
0003983415.tif 000006
【図６】
0003983415.tif 000007